(57)【要約】【課題】輝度を向上させることができると共に、クリック感を向上させることができる導光板、該導光板を備えたプリント配線板、該プリント配線板を備えたキーモジュール、及び該キーモジュールを備えた電子機器の提供を課題とする。【解決手段】光源４０から肉厚内に入射した光を導光しながら１乃至複数の必要箇所で外部へ出射させるようにした導光板２０であって、１乃至複数の所定位置に厚み方向に貫通する１乃至複数のスリットＳからなるスリット構造部２２を備えてある。【選択図】      図３
2011100577.tif 000002
【特許請求の範囲】
【請求項１】
光源から肉厚内に入射した光を導光しながら１乃至複数の必要箇所で外部へ出射させるようにした導光板であって、１乃至複数の所定位置に厚み方向に貫通する１乃至複数のスリットからなるスリット構造部を備えてあることを特徴とする導光板。
【請求項２】
前記スリットは、厚み方向の一方向に向かって広がるテーパー形状の断面を持つことを特徴とする請求項１に記載の導光板。
【請求項３】
前記スリット構造部に対応して導光板を通過してきた光を外部へ出射させる光出射構造部を備えていることを特徴とする請求項１又は２に記載の導光板。
【請求項４】
請求項１〜３の何れか１項に記載の導光板を備えたことを特徴とするプリント配線板。
【請求項５】
請求項４に記載のプリント配線板と、該プリント配線板の導光板に対して光を入射させる光源と、前記プリント配線板の上方に位置し、所定の指令を入力するためのキースイッチと、該キースイッチの下方に位置し、前記キースイッチの動作に従動してスイッチオン、スイッチオフを行うドーム状のスイッチ動作子とから構成されることを特徴とするキーモジュール。
【請求項６】
前記導光板は、前記プリント配線板と、前記キースイッチとの間に配置されると共に、該キースイッチに対応する位置に前記スリット構造部を備えてあることを特徴とする請求項５に記載のキーモジュール。
【請求項７】
請求項５又は６に記載のキーモジュールを備えたことを特徴とする電子機器。
【発明の詳細な説明】
【技術分野】
【０００１】
本発明は、導光板、該導光板を備えたプリント配線板、該プリント配線板を備えたキーモジュール及び該キーモジュールを備えた電子機器に関する。
【背景技術】
【０００２】
携帯電話機をはじめとする電子機器において、その一様な照光には導光板が用いられている。導光板にはポリカーボネートやポリウレタンが用いられることが多く、その厚みは一般的に０．１ｍｍ〜０．２ｍｍである。導光板による照光輝度は、導光板の厚みが厚肉なものほど光の取り込み量が増し、輝度も高まる傾向にある。
一方、キーとドームスイッチとの間に導光板を配置する携帯電話機等においては、キーを押し込んだ際、導光板を介してドームスイッチが押圧される構造のため、導光板が厚肉なものほど、入力時の感触（クリック感）は低下する傾向にある。
よって輝度を向上させると共に、クリック感を満たす技術の開発が課題となっていた。
輝度を向上させる従来技術として、例えば下記特許文献１、２がある。
下記特許文献１は、面状光源ユニットに関する発明で、ＬＥＤ入光面に対向した面に直接当たる光を利用する技術が開示されている。
また下記特許文献２は、シート状導光体及び操作キー照明装置並びに電子機器に関する発明で、部材コストの増大を抑え、操作キーにおいて複数のキー領域を別々に点灯可能にする技術が開示されている。
【先行技術文献】
【特許文献】
【０００３】
【特許文献１】特開２００３−８４１４０号公報
【特許文献２】特開２００９−１４６６５３号公報
【発明の概要】
【発明が解決しようとする課題】
【０００４】
上記特許文献１においては、ＬＥＤ入光面に対向した面に直接当たる光を有効に利用することで輝度を向上させることができるメリットがある。
しかしながら、ＬＥＤ照射光を上下に分割する第１のプリズム５を精度良く作製するのが困難であるという問題があった。また照光させたいポイントではない第１のプリズム５近傍の輝度が上昇することから、輝度均一性が低下するという問題があった。
また輝度の向上性と同時にクリック感を満たすための構成はなく、そのような記載や示唆もなされていなかった。
また上記特許文献２においては、キー領域１４の境界直下にスリットＳが形成されて複数の導光領域１２に分けられると共に導光領域１２毎に異なる光源３が設置される導光体本体１６を有し、スリットＳの内壁面の少なくとも一部が、遮光材料１８で覆われる構成とすることで、複数の導光領域１２間を光学的に分断できる。よって複数の導光領域１２を別々に点灯することができ、輝度を効率的に向上させることができるメリットがある。
しかしながら、シート状導光体１１に形成されるスリットＳは、あくまで複数の導光領域１２を光学的に分断可能とするために利用されるものであり、輝度の向上性と同時にクリック感を満たす効果を有するものではなかった。
【０００５】
そこで本発明は上記従来における問題点を解決し、輝度を向上させることができると共に、クリック感を向上させることができる導光板、該導光板を備えたプリント配線板、該プリント配線板を備えたキーモジュール、及び該キーモジュールを備えた電子機器の提供を課題とする。
【課題を解決するための手段】
【０００６】
本発明の導光板は、光源から肉厚内に入射した光を導光しながら１乃至複数の必要箇所で外部へ出射させるようにした導光板であって、１乃至複数の所定位置に厚み方向に貫通する１乃至複数のスリットからなるスリット構造部を備えてあることを第１の特徴としている。
【０００７】
上記本発明の第１の特徴によれば、導光板は、光源から肉厚内に入射した光を導光しながら１乃至複数の必要箇所で外部へ出射させるようにした導光板であって、１乃至複数の所定位置に厚み方向に貫通する１乃至複数のスリットからなるスリット構造部を備えてあることから、導光板内部を伝搬する光をスリット構造部から出射させることができる。よってスリット構造部を備える所定位置の輝度を向上させることができる。またスリット構造部を備えることで、所定位置の屈曲性を増すことができ、導光板の弾性撓み性を向上させることができる。
【０００８】
また本発明の導光板は、上記本発明の第１の特徴に加えて、前記スリットは、厚み方向の一方向に向かって広がるテーパー形状の断面を持つことを第２の特徴としている。
【０００９】
上記本発明の第２の特徴によれば、上記本発明の第１の特徴による作用効果に加えて、前記スリットは、厚み方向の一方向に向かって広がるテーパー形状の断面を持つことから、導光板内部を伝搬する光をスリット構造部から一段と効率良く出射させることができる。よってスリット構造部を備える所定位置の輝度を一段と向上させることができる。またスリット構造部を備える所定位置の屈曲性を一段と増すことができ、弾性撓み性を一段と向上させることができる。
【００１０】
また本発明の導光板は、上記本発明の第１又は第２の特徴に加えて、前記スリット構造部に対応して導光板を通過してきた光を外部へ出射させる光出射構造部を備えていることを第３の特徴としている。
【００１１】
上記本発明の第３の特徴によれば、上記本発明の第１又は第２の特徴による作用効果に加えて、前記スリット構造部に対応して導光板を通過してきた光を外部へ出射させる光出射構造部を備えていることから、導光板を通過してきた光を光出射構造部で効率的に外部へ出射させることができる。よってスリット構造部を備える所定位置の輝度を更に一段と向上させることができる。
【００１２】
また本発明のプリント配線板は、第１〜第３の何れか１つの特徴に記載の導光板を備えたことを第４の特徴としている。
【００１３】
上記本発明の第４の特徴によれば、プリント配線板は、第１〜第３の何れか１つの特徴に記載の導光板を備えることにより、スリット構造部を備える所定位置の輝度及び弾性撓み性を向上させることができる。
【００１４】
また本発明のキーモジュールは、第４の特徴に記載のプリント配線板と、該プリント配線板の導光板に対して光を入射させる光源と、前記プリント配線板の上方に位置し、所定の指令を入力するためのキースイッチと、該キースイッチの下方に位置し、前記キースイッチの動作に従動してスイッチオン、スイッチオフを行うドーム状のスイッチ動作子とから構成されることを第５の特徴としている。
【００１５】
上記本発明の第５の特徴によれば、キーモジュールは、第４の特徴に記載のプリント配線板と、該プリント配線板の導光板に対して光を入射させる光源と、前記プリント配線板の上方に位置し、所定の指令を入力するためのキースイッチと、該キースイッチの下方に位置し、前記キースイッチの動作に従動してスイッチオン、スイッチオフを行うドーム状のスイッチ動作子とから構成されることから、スリット構造部を備える所定位置の輝度及び弾性撓み性を向上させることができる。
【００１６】
また本発明のキーモジュールは、上記本発明の第５の特徴に加えて、前記導光板は、前記プリント配線板と、前記キースイッチとの間に配置されると共に、該キースイッチに対応する位置に前記スリット構造部を備えてあることを第６の特徴としている。
【００１７】
上記本発明の第６の特徴によれば、上記本発明の第５の特徴による作用効果に加えて、前記導光板は、前記プリント配線板と、前記キースイッチとの間に配置されると共に、該キースイッチに対応する位置に前記スリット構造部を備えてあることから、導光板内部を伝搬する光をキースイッチ方向へ出射させることができる。よってキースイッチの輝度を向上させることができる。また導光板においてキースイッチに対応する位置の屈曲性を増すことができ、弾性撓み性を向上させることができる。よってキースイッチを押圧した際のクリック感を向上させることができる。
【００１８】
また本発明の電子機器は、第５又は第６の特徴に記載のキーモジュールを備えたことを第７の特徴としている。
【００１９】
上記本発明の第７の特徴によれば、電子機器は、第５又は第６の特徴に記載のキーモジュールを備えたことから、スリット構造部を備える所定位置の輝度及び弾性撓み性を向上させることができる。またキースイッチの輝度を向上させることができると共に、キースイッチを押圧した際のクリック感を向上させることができる。
【発明の効果】
【００２０】
本発明の導光板、該導光板を備えたプリント配線板、該プリント配線板を備えたキーモジュール及び該キーモジュールを備えた電子機器によれば、輝度を向上させることができると共に、クリック感を向上させることができる導光板を提供することができる。またそのような導光板を備えたプリント配線板、該プリント配線板を備えたキーモジュール及び該キーモジュールを備えた電子機器を提供することができる。
【図面の簡単な説明】
【００２１】
【図１】本発明の実施形態に係る電子機器としての携帯電話機を示す斜視図である。
【図２】本発明の実施形態に係る電子機器としての携帯電話機のキーモジュールの平面図である。
【図３】図２に示すキーモジュールにおける要部の断面図である。
【図４】本発明の実施形態に係る導光板におけるキースイッチに対応する部分を示す図で、（ａ）は平面図、（ｂ）はキースイッチ押圧時における導光板の状態を簡略化して示す正面図である。
【図５】本発明の実施形態に係る導光板に入射する光を簡略化して説明する図である。
【図６】キースイッチとスイッチ動作子との間に配置される従来の導光板におけるキースイッチに対応する部分を示す図で、（ａ）は平面図、（ｂ）はキースイッチ押圧時における導光板の状態を簡略化して示す正面図である。
【図７】本発明における導光板に形成される１つのスリット部分を示す拡大図である。
【図８】本発明の実施形態に係る導光板の変形例を示す平面図である。
【発明を実施するための形態】
【００２２】
以下図１〜図８を参照して、本発明に係る電子機器の例として、携帯電話機１をあげて説明し、本発明の理解に供する。しかし、以下の説明は本発明の特許請求の範囲に記載の発明を限定するものではない。
【００２３】
まず図１に示すように、携帯電話機１は、入力部１ａと、表示部１ｂとを備える。表示部１ｂは、ヒンジ部１ｃを介して入力部１ａに開閉自在とされている。
【００２４】
図２、図３も参照して、前記入力部１ａには、ケース１ｄ内に入力モジュールとしてのキーモジュール２を備えている。キーモジュール２は、キースイッチ１０、導光板２０、ドーム状可動接点シート３０、光源４０、プリント配線板５０を備えている。
【００２５】
前記キースイッチ１０は、プリント配線板５０の上方に配置され、所定の指令を入力するための操作を行う部分で、前記入力部１ａに露出したキースイッチ１１〜１３で構成されている。なお、ここでキースイッチ１１〜１３は、図２に示すように、碁盤の目状に配置してあるキースイッチ１０において、光源４０に最も近い側に配置したキースイッチをキースイッチ１１とし、最も遠い側に配置したキースイッチをキースイッチ１３とする。
【００２６】
キースイッチ１０は、透明性の硬質樹脂で形成され、数字、アルファベット、記号等の特定の形状が視認可能に設けられている。数字、アルファベット、記号等の特定の形状の形成方法は、特定の形状を遮光性材料でマークするものや、特定の形状以外を遮光性材料でマークするものの何れであってもよい。
【００２７】
前記導光板２０は、図３に示すように、プリント配線板５０とキースイッチ１０との間に配置され、光源４０から肉厚内に入射させた光を導光しながら１乃至複数の必要箇所で外部へ出射させ、照光を行うためのものである。
より具体的には、図３に示すように、導光板２０は、光源４０の照光端面４１から放たれた光を導光板２０の光入射端面２１から入射させて、導光板２０の厚み内で全反射させながら入射側とは反対側まで導光すると共に、キースイッチ１０方向へ出射し、これによりキースイッチ１０の照光を行う。
【００２８】
また図３、図４（ａ）に示すように、導光板２０において、所定位置となるキースイッチ１０に対応する位置には、厚み方向に貫通する複数のスリットＳからなるスリット構造部２２を備えている。
より具体的には、図４（ａ）に示すように、キースイッチ１０の領域を網羅するように、平面視縦方向に同一幅、同一長のスリットＳを等間隔に５本形成すると共に、縦方向に形成したスリットＳの中心と直交するように、縦方向に形成したスリットＳと同一幅のスリットＳを横方向に１本形成し、いわゆる碁盤の目状にスリットＳを形成している。
このようにキースイッチ１０の領域を網羅するように碁盤の目状にスリットＳを形成することで、導光板２０内部を伝搬する光（特に光源遠方側となる光入射端面２１に対向する端面に直接届く、いわゆる平行光線）をキースイッチ１０方向へ導光させて照光させることができる。よってキースイッチ１０の輝度を向上させることができる。
【００２９】
ここで「平行光線」とは、図５において破線の矢印で示すように、光源４０から導光板２０へ入射する光のうち、光入射端面２１に対して直角に入射し、導光板２０内を下面２３及び上面２４に対して平行に進行し、光入射端面２１と対向する端面２５に直接当たる光のことを示す。
【００３０】
つまり光源４０から様々な角度で光入射端面２１から導光板２０に入射した光は、反射を繰り返しながら進行し、１乃至複数の必要箇所で外部へ出射される。しかし導光板２０内に平行に入射した平行光線は、極端な場合、一度も反射することなく、即ち入力キー１０の照光に寄与することが全くないまま、入射側とは反対側の端面２５から出てゆくこととなる。
よってスリットＳからなるスリット構造部２２を設けることで、入力キー１０の照光に寄与することがなかった平行光線を有効に利用して入力キー１０の照光を行うことができ、キースイッチ１０の輝度を向上させることができる。
【００３１】
更に平面視縦方向に複数形成したスリットＳを同一幅、同一長、等間隔のスリットＳとすると共に、横方向に形成したスリットＳを縦方向に形成したスリットＳの中心と直交するように形成し、キースイッチ１０の領域を規則正しく整列された複数のスリットＳで碁盤の目状に網羅するような構成とすることで、キースイッチ１０の輝度均一性を向上させることができる。
【００３２】
またスリットＳは、図３に示すように、厚み方向の一方向に向かって広がるテーパー形状の断面を持つように形成されている。より具体的には、下面２３から照光面たる上面２４方向に向かって広がるテーパー形状の断面を持つように形成されている。このようにスリットＳに傾斜をつけることで、導光板２０内部を伝搬する光をスリット構造部２２からキースイッチ１０方向へ一段と効率良く出射させることができる。よってキースイッチ１０の輝度を一段と向上させることができる。
【００３３】
またキースイッチ１０に対応する位置にスリットＳを厚み方向に貫通させて形成することで、導光板２０におけるキースイッチ１０に対応する部分の屈曲性を増すことができる。よってキースイッチ１０の押圧時におけるクリック感を向上させることができる。
【００３４】
つまり図３に示す本発明の実施形態に係るキーモジュール２と同様に、キースイッチ１０と後述するスイッチ動作子３１との間に導光板２０を配置する携帯電話機等においては、スイッチ動作子３１は導光板２０を介してキースイッチ１０により押圧される。
またこのような携帯電話機等においては、一般的に導光板２０は複数のスイッチ動作子３１で支持されながら、最外周部が両面テープ等で固定されている。よって図６に示すように、キースイッチ１０を押圧する際、導光板２０におけるキースイッチ１０に対応する部分は、その周囲３６０度で支持された状態となる。従って導光板２０は屈曲し難く、キースイッチ１０の押圧時に良好なクリック感を得ることができない。
【００３５】
これに対し、本発明のように、導光板２０におけるキースイッチ１０に対応する位置にスリット構造部２２を備える構成とした場合には、図４に示すように、キースイッチ１０を押圧する際、導光板２０におけるキースイッチ１０に対応する部分は、その周囲３６０度で支持された状態とはならない。つまり支持箇所を減少させることができ、導光板２０におけるキースイッチ１０に対応する部分の屈曲性を増すことができる。従って導光板２０の弾性撓み性を向上させることができ、携帯電話機１の操作時におけるクリック感を向上させることができる。
なお図４（ｂ）は、図４（ａ）において縦方向に５本形成したスリットＳのうち、１本のスリットＳのみを示す図である。
【００３６】
更にスリット構造部２２を複数のスリットＳで形成すると共に、キースイッチ１０の領域を網羅するようにスリット構造部２２を形成することで、導光板２０におけるキースイッチ１０に対応する部分の屈曲性を複数のスリットＳで一体的に向上させることができる。よってキースイッチ１０を押圧した際の導光板２０の弾性撓み性を一段と向上させることができる。従って操作時におけるクリック感を一段と向上させることができる。
【００３７】
なおスリットＳにおいて最も幅広な部分の長さは、導光板２０の厚みの２０倍以内、より好ましくは６倍以内であることが望ましい。
具体的には図７に示すように、導光板２０の厚みをＴ、導光板２０の下面２３方向へ出射される光の出射角度をΘとしたとき、破線で示す直角三角形Ｐの一辺Ｘは、Ｔ／ｔａｎ（Θ）で求められる。また導光板２０から下面２３方向へ出射される光は、平均的に破線で示す直角三角形Ｐの一辺Ｘの３倍以上の距離を経てキースイッチ１０を照光することから、スリットＳにおいて最も幅広な部分の長さをＬとした場合、Ｌは以下の式を満たす値であることが望ましい。
（式）  Ｌ＜Ｔ／ｔａｎ（Θ）×３
ここで導光板２０は、上面２４からキースイッチ１０までの距離をＨとした場合、Ｔ＜Ｈを満たす位置に配置されることが必要である。
なお図７においては、説明の便宜上、スリットＳは導光板２０の厚み方向の一方向に向かって広がるテーパー形状の断面を持つ構成とはせず、下面２３と上面２４とを鉛直方向に貫く形状としてある。
【００３８】
またスリットＳは、打抜き加工で形成することができる。
また平面視縦方向に同一幅、同一長のスリットＳを等間隔に５本形成すると共に、縦方向に形成したスリットＳの中心と直交するように、縦方向に形成したスリットＳと同一幅のスリットＳを横方向に１本形成する構成としたが、必ずしもこのような構成に限るものではなく、スリットＳの形状、大きさ、数、配置位置等は適宜変更可能である。
またスリットＳはテーパー形状の断面を持つ構成に限るものではなく、下面２３と上面２４とを鉛直方向に貫く形状とする構成であってもよい。
また本実施形態においては、複数のスリットＳでスリット構造部２２を形成する構成としたが、必ずしもこのような構成に限るものではなく、１つのスリットＳでスリット構造部２２を形成する構成としてもよい。
【００３９】
また図３に示すように、導光板２０の下面２３には、スリット構造部２２に対応して導光板２０を通過してきた光をキースイッチ１０方向へ散乱、回折させて出射させる凸状のドットからなる光出射構造部２６を複数備える構成としてある。このような構成とすることで、導光板２０を通過してきた光を物理的な凸形状のパターンの位置で確実に散乱させてキースイッチ１０方向へ出射させることができる。よってキースイッチ１０の輝度を一段と効率良く向上させることができる。
この凸状のドットからなる光出射構造部２６は、ホットスタンピング、射出成形、マイクロブラスト、その他の方法で成形することが可能である。
【００４０】
なお光出射構造部２６は、必ずしも凸状のドットで形成する構成に限るものではなく凹状のドットで形成する構成でもよいし、光散乱剤の含有されたインクによる印刷パターンで形成する構成でもよい。
また光出射構造部２６の配置位置は導光板２０の下面２３に限るものではなく、上面２４であってもよい。また光出射構造部２６の形状、大きさ、数、隣接する光出射構造部２６の距離等も本実施形態のものに限るものではなく、適宜変更可能である。
また光出射構造部２６を設けない構成であってもよい。
【００４１】
また導光板２０は、ポリカーボネート、ポリウレタン、ポリメタクリル酸メチル樹脂等、可視光域の光を十分透過させることができる樹脂で形成される。
なお導光板２０の厚みは、２０μｍ〜２００μｍとし、上述のように上面２４からキースイッチ１０までの距離Ｈが導光板２０の厚みＴよりも大きくなる位置に配置される。
【００４２】
前記ドーム状可動接点シート３０は、いわゆるドームスイッチの層を形成するものである。このドーム状可動接点シート３０は、図３に示すように、メタルドームと称する導電性金属膜からなるドーム状のスイッチ動作子３１をキースイッチ１０の下方に備え、プリント配線板５０の上面部を被覆するように配設されている。ドーム状のスイッチ動作子３１が、キースイッチ１０の動作に従動し、プリント配線板５０と接触、非接触されることで、キーモジュール２のスイッチオン、スイッチオフが行われる。
なおドーム状可動接点シート３０は、ラバー等の軟質の弾性シートから構成することができる。またドーム状可動接点シート３０の厚みは、２０μｍ〜２００μｍとすることが望ましい。
【００４３】
前記光源４０は、導光板２０に対して光を入射させるためのものであり、例えばＬＥＤで構成することができる。この光源４０は、図３に示すように、プリント配線板５０上における導光板２０の光導入端面２１と対向する位置に設備される。
なお本実施形態においては、図２に示すように、光源４０を導光板２０の側面に配置し、キースイッチ１１〜キースイッチ１３を一体的に照光する構成としたが、必ずしもこのような構成に限るものではない。例えば複数の光源４０で、キースイッチ１１、キースイッチ１２、キースイッチ１３を別個に照光する構成とすることができる。このような構成とすることで、導光板２０全体の輝度均一性を向上させることができる。
【００４４】
前記プリント配線板５０は、図３に示すように、プリント配線層５１と、樹脂層５２とから構成される。このプリント配線板５０は、上方に導光板２０を備え、更に既述したキースイッチ１０と、ドーム状可動接点シート３０と、光源４０とでキーモジュール２を構成している。
【００４５】
前記プリント配線層５１は、スイッチ接点となる導電層たる回路部を備えるものであり、銅箔によるパターンを樹脂層５２上に形成することで構成される。
【００４６】
次に図８を参照して、本発明の実施形態における導光板の変形例を説明する。
本変形例は、導光板に形成されるスリットの形状を変化させたものである。その他の構成については、既述した本発明の実施形態と同一である。同一部材、同一機能を果たすものには、同一番号を付し、以下の説明を省略する。
【００４７】
まず図８（ａ）を参照して、本変形例１は、縦方向にスリットＳを１本形成し、縦方向に形成したスリットＳの中心と直交するように横方向にスリットＳを１本形成すると共に、縦方向のスリットＳと横方向のスリットＳとの交差点を通過する斜め方向のスリットＳを縦方向のスリットＳを対称軸として２本形成したものである。
このように斜め方向のスリットＳを形成する構成とすることで、碁盤の目状にスリットＳを形成する場合に比べ、少ない本数でキースイッチ１０の領域を網羅するようにスリット構造部２２を形成することができる。よってキースイッチ１０の輝度及び輝度均一性を一段と効率良く向上させることができると共に、製造効率の良いキーモジュール２とすることができる。
なお縦方向、横方向、斜め方向に形成するスリットＳの形状、大きさ、幅等は本変形例１のものに限るものではなく、適宜変更可能である。
【００４８】
次に図８（ｂ）を参照して、本変形例２は、略リング状にスリットＳを形成したものである。
このような構成とすることで、スイッチ動作子３１の形状に合わせてスリットＳを形成することができる。よってキースイッチ１０の輝度及び輝度均一性を一段と効率良く向上させることができる。
なお略リング状に形成するスリットＳの形状、大きさ、幅等は本変形例２のものに限るものではなく、適宜変更可能である。
【００４９】
なお本発明の実施形態においては携帯電話機に適用したが、必ずしもこのような構成に限るものではなく、他の電子機器に適用する構成であってもよい。例えばＰＤＡ、モバイルタイプＰＣ（パーソナルコンピュータ）、携帯型ゲーム機等に適用することができる。
【産業上の利用可能性】
【００５０】
本発明は携帯電話機等の電子機器、それに用いられるキーモジュールとして利用することができる。
【符号の説明】
【００５１】
１            携帯電話機
１ａ          入力部
１ｂ          表示部
１ｃ          ヒンジ部
１ｄ          ケース
２            キーモジュール
１０          キースイッチ
１１          キースイッチ
１２          キースイッチ
１３          キースイッチ
２０          導光板
２１          光入射端面
２２          スリット構造部
２３          下面
２４          上面
２５          端面
２６          光出射構造部
３０          ドーム状可動接点シート
３１          スイッチ動作子
４０          光源
４１          照光端面
５０          プリント配線板
５１          プリント配線層
５２          樹脂層
Ｓ            スリット
【図１】
2011100577.tif 000003
【図２】
2011100577.tif 000004
【図３】
2011100577.tif 000005
【図４】
2011100577.tif 000006
【図５】
2011100577.tif 000007
【図６】
2011100577.tif 000008
【図７】
2011100577.tif 000009
【図８】
2011100577.tif 000010